(57)【要約】【課題】ショーツに取り付けられた状態での吸収性物品のフィット性が向上した生理用ショーツを提供すること。【解決手段】吸収性物品が股下部４に取り付けられて使用される生理用ショーツ１であって、股下部４には立体形状を有する保形片７が配置固定されている。保形片７は、その厚み方向に頂部を一ヵ所有する。保形片７の水平方向の断面形状は、底面近傍をのぞく部分の全ての断面において曲線で形成されている。頂部は着用者の股下部に向くように配置されている。【選択図】図１
2008073245.tif 000002
【特許請求の範囲】
【請求項１】
吸収性物品が股下部に取り付けられて使用される生理用ショーツであって、
前記股下部には、立体形状を有する保形片が配置固定されており、該保形片は、その厚み方向に頂部を一ヵ所有し、その水平方向の断面形状は、底面近傍を除く部分の全ての断面において曲線で形成されており、該頂部が着用者の股下部に向くように配置されている生理用ショーツ。
【請求項２】
前記保形片は錐体形状でその周側面は凹曲面をしている請求項１記載の生理用ショーツ。
【請求項３】
前記保形片は、前記頂部が前記股下部の股下最下端部よりも後方に位置するように配置されている請求項１又は２記載の生理用ショーツ。
【請求項４】
前記保形片は、前記頂部での厚み方向の剛性値が３０〜５００ｇである請求項１ないし３の何れかに記載の生理用ショーツ。
【発明の詳細な説明】
【技術分野】
【０００１】
本発明は、生理用ナプキンやパンティライナなどの吸収性物品が固定されて着用される生理用ショーツに関する。
【背景技術】
【０００２】
本出願人は先に特許文献１において、股下部に吸収性物品の形状を変形させるに足る立体形状を有する立体片が取り付けられている生理用ショーツを提案した。この生理用ショーツによれば、吸収性物品の保持安定性に優れるとともに、生理用ショーツに取り付けられた吸収性物品の身体へのフィット性が向上する。
【０００３】
【特許文献１】特開２００３−１７１８０２号公報
【発明の開示】
【発明が解決しようとする課題】
【０００４】
しかし、近年、吸収性物品着用時の快適性を求める要求が強くなってきている。そのため、特許文献１記載の生理用ショーツよりも吸収性物品を着用者の股下部の形状に一層フィットさせることができる生理用ショーツが求められている。
【０００５】
従って、本発明の目的は、ショーツに取り付けられた状態での吸収性物品のフィット性がより向上した生理用ショーツを提供することにある。
【課題を解決するための手段】
【０００６】
本発明は、吸収性物品が股下部に取り付けられて使用される生理用ショーツであって、前記股下部には、立体形状を有する保形片が配置固定されており、該保形片は、その厚み方向に頂部を一ヵ所有し、その水平方向の断面形状は、底面近傍を除く部分の全ての断面において曲線で形成されており、該頂部が着用者の股下部に向くように配置されている生理用ショーツを提供することにより前記目的を達成したものである。
【発明の効果】
【０００７】
本発明の生理用ショーツによれば、ショーツに取り付けられた状態での吸収性物品の身体へのフィット性が向上する。
【発明を実施するための最良の形態】
【０００８】
以下、本発明の生理用ショーツの好ましい一実施形態について図面を参照しながら説明する。本実施形態の生理用ショーツ１は、股下部４（以下、単に股下部という時には、生理用ショーツの股下部を表す）に、立体形状を有する保形片７が配置固定されている。該保形片７は、その厚み方向に頂部Ａを一ヵ所有し、その水平方向の断面形状は、底面近傍を除く部分の全ての断面において曲線で形成されている。該頂部Ａは、着用者の股下部に向くように配置されている。
【０００９】
本実施形態の生理用ショーツ１についてさらに説明すると、本実施形態の生理用ショーツ１は、生理用ナプキンやパンティライナなどの吸収性物品が固定されて着用されるものであり、図１に示すように、前身頃２、後身頃３、及び該前身頃２と該後見頃３との間に位置する股下部４からなる。前記前身頃２及び前記後見頃３は何れも一枚の布から構成されている。一方、前記股下部４は、前記生理用ショーツ１の外面側に位置する外側股下布５と、内面側に位置する内側股下布６との２枚重ねとなっている。
【００１０】
上記各布は、図１に示すように、互いに縫合されて前記生理用ショーツ１を構成している。各布は、肌触りが良く、通気性及び吸湿性が高いことが好ましく、これらの点から綿を主体とする素材から構成されていることが好ましい。また各布は、着用者の身体とのフィット性を高める点から、縦横方向に伸縮性を有していることが好ましく、この点からポリウレタン繊維等のエラストマー繊維を少量含んでいることが好ましい。
【００１１】
前記外側股下布５と前記内側股下布６とは同形をしており、それらの左右両側縁が互いに縫合されている。該内側股下布６における外側股下布対向面には、防水処理が施されている。例えばシリコン系やフッ素系の撥水剤で処理したり、ポリフッ化エチレン、有孔性ポリウレタン、無孔性ポリウレタン、無孔性ポリエチレン等の材料からなる撥水性のシートを複合化することで防水処理を施すことができる。
【００１２】
本実施形態における前記保形片７の形状は、図３に示すように、楕円錐様形状であり、底面形状は長方形である。前記頂部Ａは、保形片７の幅方向中央であって長手方向中央よりもやや後方に位置している。保形片７の頂部Ａを通る垂直方向の断面形状は、図４及び図５に示すように、何れの断面においても頂部Ａを頂点とし、底面を底辺とする略三角形状であり、その２つの斜辺は緩やかに下向きに湾曲している。頂部Ａの形状は、凸曲面のドーム状をしている。また、保形片７の水平方向の断面形状は、図６に示すように、底面近傍の部分を除いて円形又は楕円形をしている。このように、本実施形態の保形片７は、図３に示すように、その周側面が一つの凹曲面で形成された錐体形状をしている。
尚、本明細書中で「底面近傍」とは、底面からの厚みが７ｍｍ以下の部分をいう。
【００１３】
本実施形態においては、前記保形片７は、図７に示すように、前記外側股下布５と前記内側股下布６との間に配置されており、縫合糸１０による縫い合わせによって内側股下布６に固定されている。保形片７は、図２に示すように、頂部Ａが股下最下端部８よりも後方に位置するように配置されている。
【００１４】
前記保形片７の前記頂部Ａにおける厚み方向の剛性値は、着用時に生理用ショーツ１に固定された吸収性物品の形状を変化させ、着用者の股下部の形状にフィットさせる観点から、好ましくは３０〜５００ｇ、更に好ましくは５０〜３００ｇである。剛性値が３０ｇ未満であると着用時に着用者の体圧によって潰れてしまい、生理用ショーツ１に固定された吸収性物品の形状を変化させられないおそれがある。また、５００ｇより大きいと、着用者の股下部の形状へのフィット性が低下するとともに着用者が違和感を感じるおそれがある。
【００１５】
尚、上記の「剛性値」は、直径１０ｍｍの圧端子を保形片７の頂部Ａに合わせ、厚み方向に３ｍｍ圧縮し、その位置で圧端子を停止させ、１分間放置してその時の荷重を測定して求める。
【００１６】
前記保形片７の前記頂部Ａにおける厚みは、着用時に生理用ショーツ１に固定された吸収性物品の形状を変化させ、着用者の股下部の形状にフィットさせる観点から、好ましくは５〜２０ｍｍ、更に好ましくは８〜１５ｍｍである。保形片７の長手方向の長さは、好ましくは３０〜１００ｍｍ、更に好ましくは４０〜８０ｍｍである。保形片７の幅方向の長さは、好ましくは２０〜５０ｍｍ、更に好ましくは２０〜４０ｍｍである。
【００１７】
保形片７は、生理用ショーツ１に取り付けられるものであるため、軽量で且つ風合いが良好であることが好ましい。これらの観点から、保形片７は、発泡体、各種織地、不織布、合成樹脂などから構成されていることが好ましい。本実施形態においては、保形片７は天然ゴムラテックスの発泡体で構成されている。
【００１８】
本実施形態の生理用ショーツ１は、その股下部内側に生理用ナプキン等の吸収性物品を固定して着用される（図１参照。但し、吸収性物品は図示せず）。そして、着用時には吸収性物品の肌当接面が排泄部及び臀部を含む股下部に当接される。この際、保形片７が吸収性物品の形状を、着用者の股下部の形状に合致するように変化させる。
【００１９】
本実施形態の生理用ショーツ１によれば、保形片７は、図４に示すように、頂部Ａを一ヵ所のみ有する立体形状であるため、着用者の脚部の動きを妨げることなく、生理用ショーツ１に取り付けられた吸収性物品の着用者の股下部へのフィット性を向上させることができる。また保形片７の水平方向の断面形状が曲線で形成され、保形片７の周側面が一つの曲面で形成されていることにより着用者の股下部へのフィット性が向上するとともに、吸収性物品が取り付けられた生理用ショーツ１の着用時に、着用者に保形片７の存在による違和感を生じさせることがない。また、保形片７の周側面が凹曲面形状をしていることで、微小な変形には沿い易く、大きな変形には適度な反発を生じさせるため、着用者の股下部、特に排泄部後方の臀部の隙間の形状に沿いやすくなる。
【００２０】
また、本実施形態の生理用ショーツ１では、保形片７が上記形状をしていることに起因して、該保形片７は、長手方向及び幅方向から圧力を受けた時に頂部Ａに力が集中し、該頂部Ａの形状が変形しにくい。従って、生理用ショーツ１の着用時の脚部の動きによって、保形片７に長手方向及び幅方向から圧力が加わった場合にも、頂部Ａの形状が安定的に維持されるため、フィット性が阻害されにくい。
【００２１】
また、本実施形態の生理用ショーツ１では、頂部Ａが股下部４の股下最下端部８より後方にある。そのため、吸収性物品の着用時に生じ易い排泄部後方の臀部の隙間におけるフィット性を向上させることができる。即ち、生理用ナプキンの形状だけでは十分にフィットしない部分を、保形片７を有する本実施形態の生理用ショーツ１によってフィットさせることができる。
【００２２】
更に、本実施形態の生理用ショーツ１では、頂部Ａの厚み方向の剛性値が３０〜５００ｇとなっていることで、生理用ショーツ１の着用時に生理用ショーツ１に固定された吸収性物品の形状を変化させ、着用者の股下部の形状にフィットさせるとともに着用者が保形片７の存在によって違和感を生じることを防止できる。
【００２３】
次に、本発明の生理用ショーツの別の実施形態について説明する。別の実施形態については、図１に示す実施形態とは異なる点を中心に説明し、同じ点については説明を省略する。従って、別の実施形態については、図１に示す実施形態の説明が適宜適用される。本発明の別の実施形態の生理用ショーツ１に用いられる保形片７は、図８に示すように、頂部Ａが保形片７の幅方向及び長手方向の中央に位置しており、この点で図３に示す保形片と異なる。このような形状の保形片７を備えた別の実施形態の生理用ショーツ１によれば、着用時にショーツに取り付けられた吸収性物品と排泄部とのフィット性が特に向上する。
【００２４】
吸収性物品の種類によっては、初めから、その肌当接面側の排泄部対向部に立体形状が形成されていて、着用者の身体とのフィット性を向上させるようにしたものもあるが、そのような吸収性物品は構造が複雑であり、価格が高いものとなりがちである。これに対して、別の実施形態の保形片７を用いた本発明の生理用ショーツ１を用いれば、価格が高くなく、肌当接面側が平坦な構造の吸収性物品を用いても、立体形状が形成されている吸収性物品と同様のフィット性を実現できる。
【００２５】
本発明の生理用ショーツ１は、前述した二つの実施形態に制限されることなく、本発明の趣旨を逸脱しない限り適宜変更が可能である。
例えば前述の二つの実施形態においては、保形片７は内側の布に固着されていたが、これに代えて保形片７を外側の布に固着してもよく、或いは内側及び外側の布の双方に固着してもよい。固定の方法は縫い合わせに限られず、例えば接着剤を用いた接着でもよい。
【００２６】
また保形片７の周側面は凹曲面形状に限られず、凹曲面及び凸曲面の両曲面を有していてもよく、この際、凸曲面は、頂部Ａ付近に形成されていてもよい。また、頂部Ａの形状は、実施形態の形状に限らず、着用者の股下部に向けて凸曲面の形状であればよい。また、保形片７の水平方向の断面形状は、円形や楕円形に限られず、曲線で形成され、角を有していない形状であればよい。また、保形片７の立体形状は、楕円錐様形状に限られず、円錐様形状等であってもよい。
【００２７】
また、本実施形態においては、保形片７は、長手方向中央部が前記股下部４の前記股下最下端部８に位置するように固定されていたが、該保形片７が固定される部位は、股下部４の後方寄りであってもよい。
【００２８】
また、本発明の生理用ショーツに固定される吸収性物品としては、生理用ナプキンが典型的であるが、その他の吸収性物品、例えばパンティライナや失禁パッドなどであってもよい。これらの吸収性物品は、ショーツ固定用のウイング部を有するものであってもよい。
【図面の簡単な説明】
【００２９】
【図１】図１は、本発明の生理用ショーツの一実施形態を示す斜視図である。
【図２】図２は、図１に示すショーツを展開して内側から見た状態を示す平面図である。
【図３】図３は、保形片の一実施形態を示す斜視図である。
【図４】図４は、図３に示す保形片の頂部Ａを通る長手方向の垂直断面図である。
【図５】図５は、図３に示す保形片の頂部Ａを通る幅方向の垂直断面図である。
【図６】図６は、図４におけるＹ−Ｙ線断面図である。
【図７】図７は、図２におけるＸ−Ｘ線断面図である。
【図８】図８は、保形片の別の実施形態を示す斜視図である。
【符号の説明】
【００３０】
１    生理用ショーツ
２    前身頃
３    後身頃
４    股下部
５    外側股下布
６    内側股下布
７    保形片
８    股下最下端部
【図１】
2008073245.tif 000003
【図２】
2008073245.tif 000004
【図３】
2008073245.tif 000005
【図４】
2008073245.tif 000006
【図５】
2008073245.tif 000007
【図６】
2008073245.tif 000008
【図７】
2008073245.tif 000009
【図８】
2008073245.tif 000010